(57)【特許請求の範囲】
【請求項１】
両面画情報を送信機および受信機間で送受信する両面通信を行なうファクシミリ装置において、
両面画像を送信する場合は両面プロトコルを、また、片面画像を送信する場合は片面プロトコルを用いるよう、１通信中に両面プロトコルおよび片面プロトコルを切り換え、両面プロトコルにより両面画像を送信する場合のみ、画情報に関するページ情報を送信するポストメッセージ信号により、画情報のページナンバーを送信機から受信機に送信するとともに、前記ポストメッセージ信号によりページナンバーを送信機から受信機に送信する場合、片面プロトコルにより片面画像を送受信した後、両面プロトコルにより両面画像の送受信に復帰する際は、前記ポストメッセージ信号により送信されるページナンバーをリセットする制御を行なうことにより片面および両面の混在画情報を送受信する制御手段を有することを特徴とするファクシミリ装置。
【請求項２】
前記送信機は、原稿両面から画情報を読み取る手段を有し、原稿裏面から読み取った画情報がほぼ全白である場合、１通信中に両面プロトコルから片面プロトコルへ切り換えることにより、当該画情報を受信機に送信することを特徴とする請求項１に記載のファクシミリ装置。
【請求項３】
両面画情報を送信機および受信機間で送受信する両面通信を行なうファクシミリ装置の制御方法において、
両面画像を送信する場合は両面プロトコルを、また、片面画像を送信する場合は片面プロトコルを用いるよう、１通信中に両面プロトコルおよび片面プロトコルを切り換え、両面プロトコルにより両面画像を送信する場合のみ、画情報に関するページ情報を送信するポストメッセージ信号により、画情報のページナンバーを送信機から受信機に送信するとともに、前記ポストメッセージ信号によりページナンバーを送信機から受信機に送信する場合、片面プロトコルにより片面画像を送受信した後、両面プロトコルにより両面画像の送受信に復帰する際、前記ポストメッセージ信号により送信されるページナンバーをリセットする制御を行なうことにより、片面および両面の混在画情報を送受信する制御工程を含むことを特徴とするファクシミリ装置の制御方法。
【請求項４】
前記送信機において原稿裏面から読み取った画情報がほぼ全白である場合、１通信中に両面プロトコルから片面プロトコルへ切り換えることにより、当該画情報を受信機に送信することを特徴とする請求項３に記載のファクシミリ装置の制御方法。
【請求項５】
両面画情報を送信機および受信機間で送受信する両面通信を行なうファクシミリ装置の制御プログラムにおいて、両面画像を送信する場合は両面プロトコルを、また、片面画像を送信する場合は片面プロトコルを用いるよう、１通信中に両面プロトコルおよび片面プロトコルを切り換え、両面プロトコルにより両面画像を送信する場合のみ、画情報に関するページ情報を送信するポストメッセージ信号により、画情報のページナンバーを送信機から受信機に送信するとともに、前記ポストメッセージ信号によりページナンバーを送信機から受信機に送信する場合、片面プロトコルにより片面画像を送受信した後、両面プロトコルにより両面画像の送受信に復帰する際、前記ポストメッセージ信号により送信されるページナンバーをリセットする制御を行なうことにより、片面および両面の混在画情報を送受信する制御工程を含むことを特徴とするファクシミリ装置の制御プログラム。
【請求項６】
前記送信機において原稿裏面から読み取った画情報がほぼ全白である場合、１通信中に両面プロトコルから片面プロトコルへ切り換えることにより、当該画情報を受信機に送信することを特徴とする請求項５に記載のファクシミリ装置の制御プログラム。
【発明の詳細な説明】
【０００１】
【発明の属する技術分野】
本発明は、両面画情報を送信機および受信機間で送信する両面通信を行なうファクシミリ装置、その制御方法、およびその制御プログラムに関するものである。
【０００２】
【従来の技術】
従来のファクシミリ装置は、片面情報の原稿を送信して、片面に記録する動作が基本となっていた。旧来のＩＴＵ−Ｔ勧告Ｔ．４、あるいはＴ．３０などでは、この片面通信のみが記述されていた。
【０００３】
一方で、最近は省資源化に関する意識が高まっており、プリンタや複写機などにおいては、１枚の紙の表面と裏面に記録を行なういわゆる両面記録方式を有するものが増えつつある。これに伴ない、両面ファクシミリ通信に関する規格が２０００年の２月にＩＴＵ−Ｔで勧告化された。
【０００４】
新しいＩＴＵ−Ｔ勧告Ｔ．３０、あるいはその試案では、両面画情報の伝送方式としては、原稿表面の画像、裏面の画像を各ページについて交互に送信する両面交互伝送（交互モード）、あるいは原稿表面の画像全部を送信し、続いて裏面の画像全部を送信する両面連続伝送（連続モード）などが定義されている。
【０００５】
【発明が解決しようとする課題】
新しいＩＴＵ−Ｔ勧告Ｔ．３０、あるいはその試案における両面通信は、原稿が両面原稿である、つまり、原稿の両面に必ず有意な画像が含まれていることを前提としており、両面原稿と片面原稿（裏面が全白情報である）が混在している場合でも、必ず片面原稿の裏面情報を送信するフェーズを実行しなければならなかった。
【０００６】
このため、片面原稿および両面原稿が混在した原稿画像を送信する際、原稿情報の中に含まれている片面情報の割合が高いと、通信時間が長くなり、通信費が無駄になってしまう問題があった。
【０００７】
現在のところ、片面情報、両面情報の混在情報の送信はＩＴＵ−Ｔで勧告化されていないが、簡単なプロトコルにより、特に、既に勧告化されているプロトコルのみを用いて、あるいは、それを大きく変更することなく実現でき、効率よく片面／両面混在の原稿画像を送信できる片面／両面混在モードが望まれる。
【０００８】
本発明の課題は、上記の問題を解決し、効率よく、また、なるべく通信互換性を低下させることなく片面／両面混在の原稿画像を送受信できるようにすることにある。
【０００９】
【課題を解決するための手段】
上記の課題を解決するため、本発明によれば、両面画情報を送信機および受信機間で送信する両面通信を行なうファクシミリ装置、その制御方法、およびその制御プログラムにおいて、両面画像を送信する場合は両面プロトコルを、また、片面画像を送信する場合は片面プロトコルを用いるよう、１通信中に両面プロトコルおよび片面プロトコルを切り換え、両面プロトコルにより両面画像を送信する場合のみ、画情報に関するページ情報を送信するポストメッセージ信号により、画情報のページナンバーを送信機から受信機に送信するとともに、前記ポストメッセージ信号によりページナンバーを送信機から受信機に送信する場合、片面プロトコルにより片面画像を送受信した後、両面プロトコルにより両面画像の送受信に復帰する際、前記ポストメッセージ信号により送信されるページナンバーをリセットする制御を行なうことにより、片面および両面の混在画情報を送受信する構成を採用した。
【００１０】
【発明の実施の形態】
＜第１実施形態＞
以下、図を参照して本発明の実施の形態を説明する。
【００１１】
図１は、本発明を採用したファクシミリ装置のハードウェア構成を示している。図１において符号２は、ＮＣＵ（網制御装置）で、電話網をデータ通信等に使用するためにその回線の端末に接続し、電話交換網の接続制御を行なったり、データ通信路への切り替えを行なったり、ループの保持を行なうものである。ＮＣＵ２は、バス２６からの制御に応じて電話回線２ａを電話機４側に接続する（ＣＭＬオフ）か、電話回線２ａをファクシミリ装置側に接続する（ＣＭＬオン）。通常状態では、電話回線２ａは電話機４側に接続されている。
【００１２】
符号６はハイブリッド回路で、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で変復調器８に送るものである。
【００１３】
符号８は変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行なう。バス２６の制御により、各伝送モードが指定される。変復調器８は、バス２６からの送信信号を入力し、変調データを信号線８ａに出力し、信号線６ａに出力されている受信信号を入力し、復調データをバス２６に出力する。
【００１４】
符号１０は、発呼回路であり、バス２６からの制御に応じて、電話番号情報を入力し、信号線１０ａにＤＴＭＦ形式の選択信号を出力する。
【００１５】
符号１２は、加算回路であり、信号線８ａの情報と信号線１０ａの情報を入力し、加算した結果を信号線１２ａに出力する。
【００１６】
符号１４は、原稿の両面情報を読み取ることができる読取回路であり、光学読取素子および原稿搬送系から構成され、読み取りデータをバス２６に出力する。両面情報を読み取るための原稿搬送系の構造は、原稿の表裏を反転しつつ原稿両面から読み取りを行なうもの、あるいは表面を読み取った後、ユーザが原稿の束を反転させて裏面を読み取るような半手動式のものなどが考えられるが、以下では、説明を容易にするため表面、裏面を同時に読み取り可能な構成を前提とする。
【００１７】
符号１６は、両面情報を記録可能な記録回路であり、バス２６に出力されている情報を順次１ライン毎に記録する。本実施形態においては記録回路１６は、記録紙反転機構（不図示）を有するレーザビームプリンタなどの記録機構から構成される。
【００１８】
符号１８は、メモリ回路であり、ＲＡＭ（あるいはハードディスクドライブなどのような読み書き可能なメモリ）を含み、後述のＣＰＵ２２のワーク領域として用いられる。読み取った、あるいは受信した画像データを生データ、あるいは符号化データの形式で格納する他、他の制御データも格納される。メモリ回路１８へのアクセスはバス２６を介して行なわれる。
【００１９】
符号２０は、操作部であり、ワンタッチダイヤル、短縮ダイヤル、テンキー、＊キー、＃キー、スタートキー、ストップキー、セットキー、両面送信選択キー、その他のファンクションキーがあり、これらのキーの操作情報はバス２６に出力される。操作部２０には、ＬＣＤなどの表示素子から成る表示部が設けられており、装置の動作状態をモニタしたり、各種の設定を行なうユーザーインターフェースに用いられる。操作部２０のアクセスはバス２６を介して行なわれる。
【００２０】
符号２２は、ＣＰＵ（中央処理装置）であり、ファクシミリ全体の動作を制御するとともに、ファクシミリ伝送制御手順を実行するが、その制御プログラムは、ＲＯＭ２４に格納される。符号２６はＣＰＵ２２のバスで、アドレスバス、データバスから構成される。
【００２１】
本実施形態では、ＣＰＵ２２の制御により、両面画像を送信する場合は両面プロトコルを、また、片面画像を送信する場合は片面プロトコルを用いるよう、１通信中に両面プロトコルおよび片面プロトコルを切り換えることにより、片面および両面の混在画情報を送受信する。
【００２２】
ここで、図２〜図７を参照して、本実施形態における両面伝送のための通信手順の概略を説明する。
【００２３】
両面伝送の通信モードとしては、交互モード（両面交互伝送モード）と連続モード（両面連続伝送モード）の２つが存在する。前者は１ページ目の表面、裏面、２ページ目の表面、裏面…と原稿１枚づつその表面、裏面を交互に伝送するモードである。また、後者は１ページ目の表面、２ページ目の表面…とまず原稿の表面のみページ順に全部伝送し、しかる後に１ページ目の裏面、２ページ目の裏面…と原稿の裏面をページ順に全部伝送するモードである。ファクシミリ装置はその実装形態に応じていずれかのモードを使用することができる。
【００２４】
また、上記の交互モード、および連続モードによる両面伝送手順の他に、もちろん旧来の片面伝送手順がＩＴＵ−Ｔ勧告Ｔ．３０で定義されている。
【００２５】
本実施形態では、それがほぼ全白であるなどの理由で、裏面の画情報をスキップするために、両面伝送手順（両面プロトコル）と、片面伝送手順（片面プロトコル）を同一通信の中で混在させて使用する。
【００２６】
たとえば、
１枚目：両面情報、
２枚目：片面情報（裏面が全白であり送信不要）、
３枚目：両面情報
のような構成の原稿の場合、１枚目および３枚目の表裏を両面手順で送信し、２枚目は片面手順で送信する。これが本実施形態における両面／片面混在プロトコルである。
【００２７】
この本実施形態の両面／片面混在プロトコルを使用するか否かは、ファクシミリ前手順において、ＤＩＳ（デジタル識別：画像受信局から送信される）信号、ＤＴＣ（デジタル送信命令：画像送信局から送信される）信号、およびＤＣＳ（デジタル命令：画像送信局から送信される）信号を用いて送受信機間でネゴシエーションできるようにする。
【００２８】
図２は、本実施形態において用いられるＤＩＳ／ＤＴＣ／ＤＣＳ信号のフォーマットを示している。
【００２９】
図２に示すように、ＤＩＳ／ＤＴＣ信号では、ＦＩＦのｘビット（図中ではビット数は「ｘ」により示されているが実際には１１３）目により、交互モードでの両面記録機能の有無を表し、ＦＩＦのｘ＋１（同１１４）ビット目により、連続モードでの両面記録機能の有無を表す。また、ＤＣＳ信号においては、ＦＩＦのｘ（同１１３）ビット目により、交互モードでの両面送信を指定し、ＦＩＦのｘ＋１（同１１４）ビット目により、連続モードでの両面送信を指定する。
【００３０】
さらに、本実施形態では、ＤＩＳ／ＤＴＣ信号のＦＩＦのＹビット目（ＦＩＦの構成、あるいは勧告により可能な任意のビットでよい）により、両面／片面混在プロトコルの有無を表す。また、ＤＣＳ信号においては、ＦＩＦのＹビット目により、両面／片面混在プロトコルによる送信を指定する。
【００３１】
上記のｘおよびｘ＋１ビットは公知であるので、結局、本実施形態の両面、片面の混在情報の送受信を実現するためＤＩＳ／ＤＣＳ／ＤＴＣ信号のＦＩＦに追加しなければならないのは、Ｙビットのみである。
【００３２】
次に、画像メッセージに続いて送信するポストメッセージ信号（Ｑ信号）の構成を図３に示す。
【００３３】
図３は、ノーマルＧ３伝送でのＱ信号（具体的にはＥＯＰ（ページ終了）あるいは、ＭＰＳ（マルチページ）、あるいはＥＯＭ（メッセージ終了）信号など）、また、ＥＣＭ（エラー訂正モード）伝送でのＰＰＳ−Ｑ信号（具体的には、ＰＰＳ−ＥＯＰ、あるいは、ＰＰＳ−ＭＰＳ、あるいはＰＰＳ−ＥＯＭ、あるいはＰＰＳ−ＮＵＬＬなどのポストメッセージ信号）のフレーム構成を示している。
【００３４】
図３のように、これらのポストメッセージ信号では、Ｆｌａｇ（フラグ）、Ａｄｄｒｅｓｓ（アドレス）、Ｃｏｎｔｒｏｌ（制御データ）、ＦＣＦ（ファクシミリ情報フィールド）、ＰＣ（ページカウンタ）、ＢＣ（ブロックカウンタ）、ＦＣ（フレームカウンタ）の後にＬｅｎｇｔｈ（続くＰａｇｅ  ｎｕｍｂｅｒ（２オクテット）とＰａｇｅ  ｉｎｆｏｒｍａｔｉｏｎ（現在は１オクテット）の合計オクテット数）、およびＰａｇｅ  ｎｕｍｂｅｒ（両面原稿をページ順に表面、裏面と送信するケースで考えてＰ１から１ページずつ加算される）が送信される。
【００３５】
これに続くＰａｇｅ  Ｉｎｆｏｒｍａｔｉｏｎ（ページ情報）は、送信したページに関する情報を送信するためのものである。本発明のＰａｇｅ  Ｉｎｆｏｒｍａｔｉｏｎでは、ｂｉｔ０により表面（０にセット）か裏面（１にセット）かを指定し（従来同様）、さらに、従来未使用であったｂｉｔ１により裏面情報を送信しない（１にセット）か、裏面情報を送信する（０にセット）かの指定を行なえる（図３下部の表部分）。ただし、このｂｉｔ１は、後述の第５実施形態のみで用いられるもので、その後述の第５実施形態以外の実施形態では必須のものではない。
【００３６】
なお、上記のＰａｇｅ  Ｉｎｆｏｒｍａｔｉｏｎのｂｉｔ１は、対応する裏面の送信の有無を表現するものであるから、当然ながらｂｉｔ０により表面を指定している時のみ信号受信側で有効に解釈されるものとする。
【００３７】
さらに、Ｐａｇｅ  Ｉｎｆｏｒｍａｔｉｏｎに続き、ＦＣＳ（フレームチェックシーケンス）、Ｆｌａｇ（フラグ）が送信される。
【００３８】
なお、Ｌｅｎｇｔｈ、Ｐａｇｅ  ｎｕｍｂｅｒ、Ｐａｇｅ  ｉｎｆｏｒｍａｔｉｏｎの３つが従来の片面プロトコルには存在せず、両面伝送のために新たに追加となったオクテットである。また、ここで、ノーマルＧ３通信にて使用するポストメッセージ信号には、ＰＣ、ＢＣ、ＦＣは含まれず、ＥＣＭ通信にて使用するＰＰＳ−Ｑ信号でのみ使用される。
【００３９】
次に、図４〜図７にノーマルＧ３モードにおける公知の交互モード（非ＥＣＭ）、交互モード（ＥＣＭ）、連続モード（非ＥＣＭ）、連続モード（ＥＣＭ）の通信の様子をそれぞれ示す。
【００４０】
図４〜図７のように、ＤＩＳ信号のｘおよびｘ＋１ビットにより受信機の両面伝送機能（交互および連続のいずれも可）が示され、ＤＣＳ信号のｘおよびｘ＋１ビットにより、送信機がこれから実行しようとする両面伝送モードが宣言される。図６、図７の連続モードでは、ＤＣＳ信号のｘ＋１ビットを１とすることにより連続モードでの送信を行なうことが宣言されている。
【００４１】
また、図４、図６に示すように、ノーマルモードの場合はポストメッセージ信号としてＭＰＳ信号が、また、図５、図７に示すように、ＥＣＭの場合はポストメッセージ信号としてＰＰＳ−ＭＰＳ信号が用いられている。
【００４２】
ここでは３枚の両面原稿が送信されており、各図中の「ＰＮ」は上記のＰａｇｅ  Ｎｕｍｂｅｒを示している。
【００４３】
たとえば、図４（交互モード）に符号４１で示したＭＰＳ信号は、「ＭＰＳ（ＰＮ＝１，０（ｆｒｏｎｔ  ｓｉｄｅ））」と図示されているが、これは、ページ番号１（ＰＮ＝１）、表面（０（ｆｒｏｎｔ  ｓｉｄｅ））の画情報を送信したことを示している（図４以降のＭＰＳあるいはＰＰＳ−ＭＰＳ信号の表記は上記と同趣である）。
【００４４】
すなわち、図４および図５の交互モードでは、１枚目（ＰＮ＝１）の表（０）、１枚目（ＰＮ＝２）の裏（１）、２枚目（ＰＮ＝３）の表（０）、２枚目（ＰＮ＝４）の裏（１）、３枚目（ＰＮ＝５）の表（０）、３枚目（ＰＮ＝６）の裏（１）の順で原稿の画情報が送信されている。
【００４５】
また、図６および図７の連続モードでは、１枚目（ＰＮ＝１）の表（０）、２枚目（ＰＮ＝３）の表（０）、３枚目（ＰＮ＝５）の表（０）、１枚目（ＰＮ＝２）の裏（１）、２枚目（ＰＮ＝４）の裏（１）、３枚目（ＰＮ＝６）の裏（１）の順で原稿の画情報が送信されている。
【００４６】
次に、本実施形態のファクシミリ通信を行なうためにＣＰＵ２２で実行すべき通信制御を図８〜図１７に示す。図８〜図１７の制御手順はＣＰＵ２２のプログラムとして、ＲＯＭ２４に格納しておく。図８〜図１７は上記の通信制御を実現するための処理の流れをフローチャート図として示したもので、図８〜図１７の同一番号の個所はそれぞれの位置で連続しているものとする。
【００４７】
なお、以下では、ＥＣＭ制御に関しては説明を省略するが、ＥＣＭ通信を行なうか否かは、従来通り、ＤＩＳ／ＤＣＳ信号を用いたネゴシエーションにより決定されるものとする。
【００４８】
図８において、ステップＳ０は、所定のリセット操作などにより開始される処理の始めを示している。
【００４９】
ステップＳ２では、バス２６を介してメモリ回路１８をイニシャライズし、ステップＳ４では、バス２６を介して、操作部２０の表示部をイニシャライズ（クリア）する。
【００５０】
ステップＳ６では、バス２６を介してＮＣＵ２のＣＭＬをオフとし、回線２ａを電話機４側に接続する。
【００５１】
ステップＳ８では、バス２６を介して操作部２０の操作情報を入力し、ファクシミリ送信が選択されたか否かを判断し、ファクシミリ送信が選択されている場合にはステップＳ１４に進み、ファクシミリ送信が選択されていない場合にはステップＳ１０に進む。
【００５２】
ステップＳ１０では、ファクシミリ受信が選択されたか否かを判断する。回線からの呼出信号の到来、あるいは操作部２０による手動受信操作、時刻指定ポーリングの指定時刻到来などの条件が成立して受信を選択する場合には、ステップＳ１７８（図１７）に進み、受信を行なわない場合はステップＳ１２に進む。その他の処理（原稿のコピー処理など）を実行する。
【００５３】
ステップＳ１４では、バス２６を介して操作部２０の情報を入力し、両面原稿の送信が選択されたか否かを判断し、両面原稿の送信を行なう場合はステップＳ１８に進み、そうでない場合はステップＳ１６に進む。
【００５４】
ステップＳ１６では、公知の片面手順により表面情報のみ送信するファクシミリ通信を実行する。
【００５５】
ステップＳ１８では、ページカウンタに１をセットする。このページカウンタは、本発明では原稿の枚数に相当する数値をカウントアップするよう制御される。
【００５６】
ステップＳ２０では、読取回路１４により、原稿の表面および裏面を同時に読み取り、符号化し、ページカウンタ、表面、裏面を示す面情報に関連づけた上、メモリ回路１８に記憶する。
【００５７】
図９のステップＳ２２では、原稿１ページ（１枚）の読み取りが終了したか否かを判断する。１ページの読み取りが終了した場合にはステップＳ２４に進み、１ページの読み取りが終了していない場合にはステップＳ２０に戻る。
【００５８】
ステップＳ２４では、読み取った表、裏の各面が（ほぼ）全白であるか否かを判定する。これは、たとえば各面の画像データ中で黒ドット数が占めるパーセンテージが０．１％（この基準値は当業者で任意に定めればよい）以下であるか否かを判断することなどにより行なえる。ステップＳ２４が肯定された場合にはステップＳ２６に進み、否定された場合にはステップＳ２８に進む。
【００５９】
そして、ステップＳ２６では全白情報を示す識別情報を、またステップＳ２８では有効画情報を示す識別情報を、それぞれ各面の画像データと関連づけてメモリ回路１８中の所定領域に記憶する。
【００６０】
ステップＳ３０では、全ページの読み取りが終了したか否かを判断する。ステップＳ３０が肯定された場合にはステップＳ３４に進み、否定された場合にはステップＳ３２に進む。
【００６１】
ステップＳ３２では、ページカウンタの値を１つインクリメントする。
【００６２】
ステップＳ３４では、読み取った画情報に両面情報が含まれているか否かを判定する。ここでは、ステップＳ２６、Ｓ２８で記憶させた識別情報により、原稿両面に有効画情報が含まれていれば、その原稿は両面情報であると判断する。ステップＳ３４が肯定された場合にはステップＳ４６（図１０）に進み、否定された場合にはステップＳ３６に進む。
【００６３】
ステップＳ３６では、バス２６を介して、ＮＣＵ２のＣＭＬをオンとし、回線２ａをファクシミリ装置（ハイブリッド回路６）側に接続する。
【００６４】
ステップＳ３８では、バス２６を介して発呼回路１０を制御し、指定された宛先へ発呼する。宛先は操作部２０のテンキーやワンタッチキーなどにより指定されるものとする。
【００６５】
ステップＳ３４で両面情報が１枚も無い場合は、図１０のステップＳ４０において、ファクシミリ前手順を実行する。ここでは、ＤＣＳ信号のＦＩＦのＸ、Ｘ＋１、Ｙビットを０として送信する。
【００６６】
ステップＳ４２では、ページカウンタの順に表面の情報のみ送信し、ステップＳ４４でファクシミリ後手順を実行した後、図８のステップＳ６に復帰する。
【００６７】
一方、ステップＳ３４で両面情報が含まれている場合にはステップＳ４６において、全ての送信情報が両面情報である（全原稿が両面に有効情報を含んでいる）か否かを判断する。ステップＳ４６が肯定された場合にはステップＳ４８に進み、否定された場合にはステップＳ１００（図１３）に進む。
【００６８】
ステップＳ４８ではバス２６を介して、ＮＣＵ２のＣＭＬをオンとし、回線２ａをファクシミリ装置（ハイブリッド回路６）側に接続する。
【００６９】
ステップＳ５０では、ステップＳ３８同様に、バス２６を介して発呼回路１０を制御し、指定された宛先へ発呼する。
【００７０】
ステップＳ５２ではファクシミリ前手順を実行する。
【００７１】
ステップＳ５４では、受信機のＤＩＳ信号のＦＩＦのＸビットが１（交互モードの両面受信が可能）であるか否かを判断する。ステップＳ５４が肯定された場合にはステップＳ５６（図１１）に進み、否定された場合にはステップＳ８０（図１２）に進む。
【００７２】
原稿画像が全部両面であり、ステップＳ５４が肯定された場合には図１１のステップＳ５６において、ページナンバーに１をセットし、ステップＳ５８で面フラグに表面をセットする。
【００７３】
本発明の場合、これらのページナンバー、および面フラグは、図３に示したページナンバー（Ｐａｇｅ  Ｎｕｍｂｅｒ）およびＰａｇｅ  Ｉｎｆｏｒｍａｔｉｏｎのビット０と同じものであり、各フローチャートにおいて、その時の値がポストメッセージ信号により送信されることになる。
【００７４】
ステップＳ６０では、ページカウンタに１をセットし、ステップＳ６２では残りのファクシミリ前手順を実行する。ここで、ＤＣＳ信号のＦＩＦのＸビット＝１、Ｘ＋１ビット＝０、Ｙビット＝０として送信する。すなわち、交互モードの両面送信を指定する。
【００７５】
ステップＳ６４では、ページカウンタが示す面の画情報を送信する。ここでは、ポストメッセージ信号、つまりＰＰＳ−ＱまたはＱ信号によりページナンバー、および面フラグ（表：０／裏：１）を送信する。
【００７６】
ステップＳ６６では、送信すべき次の送信情報があるか否かを判断し、ステップＳ６６が肯定された場合にはステップＳ７０に進む。ステップＳ６６が否定された場合にはステップＳ６８に進みファクシミリ後手順を実行し、図８のステップＳ６に復帰する。
【００７７】
送信すべき次の送信情報がある場合、ステップＳ７０において面フラグ（直前に送信した面を示している）が表面であるか否かを判断する。ステップＳ７０が肯定された場合にはステップＳ７２において面フラグに裏面をセットし、否定された場合にはステップＳ７４において面フラグに表面をセットする。
【００７８】
ステップＳ７６、ステップＳ７８（図１２）では、ページカウンタ、およびページナンバーの値をそれぞれ１つづつインクリメントし、ステップＳ６４にループする。
【００７９】
一方、ステップＳ５４で受信機のＤＩＳ信号のＦＩＦのＸビットが１ではない場合は、まず、図１２のステップＳ８０においてページカウンタに１をセットし、ステップＳ８２で面フラグに表面をセットする。
【００８０】
ステップＳ８４では、残りのファクシミリ前手順を実行し、ＤＣＳ信号のＦＩＦのＸビット＝０、Ｘ＋１ビット＝０、Ｙビット＝０として送信する。つまり、旧来の片面手順により送信を行なうことを宣言する。
【００８１】
ステップＳ８６では、ページカウンタが示す面の画情報を送信する。ここでは、片面手順であるから、ＰＰＳ−Ｑ、またはＱ信号（ポストメッセージ信号）では、ページナンバー、面情報（フラグ）を送信しない。
【００８２】
ステップＳ８８では、送信すべき次の送信情報があるか否かを判断する。ステップＳ８８が肯定された場合にはステップＳ９２に進み、否定された場合にはステップＳ９０に進む。ステップＳ９０では、ファクシミリ後手順を実行した後、図８のステップＳ６に復帰する。
【００８３】
ステップＳ９２では、面フラグ（直前に送信した面を示している）が表面であるか否かを判断する。ステップＳ９２が肯定された場合にはステップＳ９４で面フラグに裏面をセットし、否定された場合にはステップＳ９６で面フラグに表面をセットする。
【００８４】
ステップＳ９８では、ページカウンタの値を１つインクリメントし、ステップＳ８６にループする。
【００８５】
一方、ステップＳ４６において、両面情報が含まれているが全ての送信情報が両面情報ではない場合、つまり、両面と片面の混在情報を送信する場合は、図１３のステップＳ１００において、バス２６を介してＮＣＵ２のＣＭＬをオンとし、回線２ａをファクシミリ装置側に接続する。
【００８６】
ステップＳ１０２では、前述同様にしてバス２６を介して発呼回路１０を制御し、指定された宛先へ発呼し、ステップＳ１０４でファクシミリ前手順を実行する。
【００８７】
ステップＳ１０６では、受信機のＤＩＳ信号のＦＩＦのＹビットが１であるか否か、つまり、受信機が本発明の両面／片面混在プロトコルをサポートしているか否かを判断する。ステップＳ１０６が肯定された場合にはステップＳ１３２に進み、否定された場合にはステップＳ１０８に進む。
【００８８】
受信機が本発明の両面／片面混在プロトコルをサポートしていない場合は、ステップＳ１０８においてＤＩＳ信号のＦＩＦのＸビットは１であるか、つまり受信機が交互モードの両面手順をサポートしているか否かを判断する。ここで受信機が交互モードの両面手順をサポートしている場合はステップＳ５６（図１１）に進み、サポートしていない場合はステップＳ１１０に進む。
【００８９】
ステップＳ１１０では、残りのファクシミリ前手順を実行し、ＤＣＳ信号のＦＩＦのＸビット＝０、Ｘ＋１ビット＝０、Ｙビット＝０として送信する。すなわち、旧来の片面手順を用いることを宣言する。
【００９０】
ステップＳ１１２では、ページカウンタに１をセットし、ステップＳ１１４では、面フラグに表面をセットする。
【００９１】
ステップＳ１１６では、ページカウンタが示す面の画情報を送信する。ここでは、ＰＰＳ−Ｑ、またはＱ信号（ポストメッセージ信号）では、ページナンバー、面情報（フラグ）を送信しない。
【００９２】
ステップＳ１１６に続き、ステップＳ１１８（図１４）では、送信すべき次の送信情報があるか否かを判断する。送信すべき次の送信情報がある場合にはステップＳ１２２に進み、次の送信情報がなければステップＳ１２０に進み後手順を実行し、図８のステップＳ６に復帰する。
【００９３】
ステップＳ１２２では、面フラグが表面であるか否かを判断し、ステップＳ１２２が肯定された場合にはステップＳ１２８で面フラグに裏面をセットし、否定された場合にはステップＳ１２４で面フラグに表面をセットする。
【００９４】
ステップＳ１２４に続き、ステップＳ１２６では、ページカウンタの値を１つインクリメントし、ステップＳ１１６（図１３）にループする。
【００９５】
一方、ステップＳ１２８で面フラグに裏面をセットした場合は、ステップＳ１３０においてページカウンタが示す面（裏面）の画情報は全白情報であるか否かを判断する。この判定にはステップＳ２６、Ｓ２８で設定された識別情報を用いればよい。ステップＳ１３０が肯定された場合にはステップＳ１１８にループし、否定された場合にはステップＳ１１６（図１３）にループする。
【００９６】
ステップＳ１１０〜Ｓ１３０の処理により、両面／片面の混在情報は、片面手順を用いて順番に送信される（ポストメッセージ信号によるページナンバーおよび表裏の情報の送信は行なわない）。
【００９７】
一方、ステップＳ１０６（図１３）で受信機が本発明の両面／片面混在プロトコルをサポートしている場合は、ステップＳ１３２においてページカウンタに１をセットし、ステップＳ１３４では面フラグに表面をセットし、さらにステップＳ１３６ではページナンバーに１をセットする。
【００９８】
ステップＳ１３８ではページカウンタが示す画情報は両面情報であるか否か（裏面に有効情報があるか否か）を判断する。ステップＳ１３８が肯定された場合にはステップＳ１４０に、否定された場合にはステップＳ１７６（図１６）に進む。
【００９９】
図１６のステップＳ１７６では、残りのファクシミリ前手順を実行し、ＤＣＳ信号のＦＩＦのＸビット＝０、Ｘ＋１ビット＝０、Ｙビット＝１として送信し、後述のステップＳ１６４（図１５）に移行する。
【０１００】
一方、ステップＳ１３８で両面情報が検出されている場合は、ステップＳ１４０で残りのファクシミリ前手順を実行し、ＤＣＳ信号のＦＩＦのＸビット＝１、Ｘ＋１ビット＝０、Ｙビット＝１として送信する。すなわち、交互モードの両面通信を宣言するとともに、本発明の両面／片面混在プロトコルを用いることを宣言する。
【０１０１】
ステップＳ１４２では、ページカウンタが示す面の画情報を送信する。ここでは、ＰＰＳ−Ｑ、またはＱ信号（ポストメッセージ信号）により、ページナンバー、および面情報（面フラグの値）を送信する。
【０１０２】
図１５のステップＳ１４４では、送信すべき次の送信情報があるか否かを判断する。送信すべき次の送信情報があればステップＳ１４８に進み、なければステップＳ１４６に進み、ファクシミリ後手順を実行し、図８のステップＳ６に復帰する。
【０１０３】
ステップＳ１４８では、面フラグが表面であるか否かを判断し、ステップＳ１４８が肯定された場合にはステップＳ１５０で面フラグに裏面をセットし、否定された場合にはステップＳ１５４で面フラグに表面をセットする。
【０１０４】
ステップＳ１５２では、ページナンバーの値を１つインクリメントし、ステップＳ１５６では、ページカウンタの値を１つインクリメントする。
【０１０５】
ステップＳ１５２を通過し、裏面の送信に入る場合はステップＳ１５２からステップＳ１４２（図１４）にループする。
【０１０６】
一方、ステップＳ１５６に続き、ステップＳ１５８では、ページカウンタが示す画情報は両面であるか否か（裏面に有効情報があるか否か）を判断する。ステップＳ１５８が肯定された場合にはステップＳ１５２に進み、否定された場合にはステップＳ１６０に進む。
【０１０７】
ステップＳ１５８でページカウンタが示す画情報が両面でない場合、つまり、表面の送信に入るタイミングにおいて、その表面に対応する裏面に有効画情報が含まれていない場合は、ステップＳ１６０においてページナンバーの値を１つインクリメントする。
【０１０８】
そして、ステップＳ１６２で中間手順を実行する。ここでは、ＤＣＳ信号のＦＩＦのＸビット＝０、Ｘ＋１ビット＝０、Ｙビット＝１として送信する。この状態は、Ｘビット、Ｘ＋１ビットについては旧来の片面手順と同じであるが、前手順同様にＹビット＝１であり、これにより本発明の両面／片面混在プロトコル中における片面手順であることが示される。
【０１０９】
そして、ステップＳ１６４では、ページカウンタが示す面（表面）の画情報を送信する。ここでは、旧来の片面手順と同等の処理を行なうため、ＰＰＳ−Ｑ、またはＱ信号（ポストメッセージ信号）ではページナンバー、面情報を送信しない。
【０１１０】
図１６のステップＳ１６６では、送信すべき次の送信情報があるか否かを判断する。送信すべき次の送信情報があればステップＳ１７０に進み、送信すべき次の送信情報がなければステップＳ１６８に進み、ファクシミリ後手順を実行し、図８のステップＳ６に復帰する。
【０１１１】
ステップＳ１７０ではページカウンタの値を１つインクリメントし、続くステップＳ１７２では、ページカウンタが示す画情報は両面であるか否か（裏面に有効情報があるか否か）を判断する。ステップＳ１７２が肯定された場合にはステップＳ１７４に進み、否定された場合にはステップＳ１６４（図１５）にループする。
【０１１２】
両面情報の送信に戻る場合は、ステップＳ１７４で中間手順を実行する。ここでは、ＤＣＳ信号のＦＩＦのＸビット＝１、Ｘ＋１ビット＝０、Ｙビット＝１として送信する。すなわち、Ｘビットを（再度）１に戻すことにより、両面手順に復帰させる。
【０１１３】
一方、ステップＳ１０で受信が選択された場合には図１７のステップＳ１７８でバス２６を介してＮＣＵ２のＣＭＬをオンとし、回線２ａをファクシミリ装置（ハイブリッド回路６）側に接続する。
【０１１４】
ステップＳ１８０ではファクシミリ前手順を実行し、ここでは、ＤＩＳ信号のＦＩＦのＸビット＝１、Ｘ＋１ビット＝０、Ｙビット＝１として送信する。すなわち、ここでは、交互モードの両面通信が可能である（Ｘビット＝１）とともに、本発明の両面／片面混在プロトコルが可能である（Ｙビット＝１）ことを相手局に示す。
【０１１５】
ステップＳ１８２では、指定されたモードにより画信号を受信し、記録回路１６で記録し、ステップＳ１８４でファクシミリ後手順を実行し、図８のステップＳ６に復帰する。
【０１１６】
本発明の両面／片面混在プロトコルを用いて（ＤＩＳ／ＤＴＣ／ＤＣＳのＹビット＝１）受信機として動作する場合は、上記のようにして両面（手順に相当の）プロトコルで送信される両面部分についてはポストメッセージ信号により送信されるページナンバーおよび面情報（面フラグ）を参照して記録紙の表裏いずれの面に記録を行なうかを決定し、片面（手順に相当の）プロトコルで送信される片面部分については記録紙の表に順次記録を行なう。
【０１１７】
なお、本実施形態の両面／片面混在プロトコルでは、片面プロトコルを用いている間はページナンバーをインクリメントしておらず、再度両面プロトコルに復帰した場合は、ポストメッセージ信号で送信されるページナンバーはその直前に両面プロトコルで送信された時の値に連続してインクリメントされていく。
【０１１８】
たとえば、本実施形態の両面／片面混在プロトコルで送信する３枚の原稿のうち２枚目が片面（裏面が全白）である場合は、ポストメッセージ信号で送信されるページナンバーおよび面情報（面フラグ）は
ページナンバー    面情報（面フラグ）
１枚目表      １                ０
１枚目裏      ２                １
２枚目表      （ポストメッセージで送信せず）
３枚目表      ３                ０
３枚目裏      ４                １
のようになる。２枚目表を送信する時は、ページナンバーは３になっている（ステップＳ１６０）が、この値は２枚目表の片面プロトコルによる送信ではポストメッセージによりページナンバーおよび面情報（面フラグ）は送信せず、続く３枚目の両面送信の時からインクリメントしつつ用いられる。
【０１１９】
以上のようにして、本実施形態によれば、両面／片面混在プロトコルを用いて、効率よく片面／両面混在の原稿画像を送受信することができる。本実施形態の両面／片面混在プロトコルは、公知の両面および片面プロトコルを１通信中に切り換えて用いるものであり、プロトコル上、従来と異なるのはＤＩＳ／ＤＴＣ／ＤＣＳのＹビットだけであり、ソフトウェアに大規模な変更を行なう必要がなく、極めて容易に実施でき、また、１通信中に中間手順を行ない、旧来と同等の両面プロトコルおよび片面プロトコルを１通信中に切り換えて用いるようにしているので、他メーカーの装置など、本発明のＤＩＳ／ＤＴＣ／ＤＣＳのＹビットをサポートしていない装置が相手機であっても通信不能となる可能性を低減でき、高い通信の互換性を得ることができる。
【０１２０】
以上の第１実施形態では、両面／片面混在プロトコルにおいて片面プロトコルから両面プロトコルに復帰した場合、ポストメッセージ信号で送信するページナンバーはその直前に両面プロトコルで送信された時の値に連続してインクリメントされるが、このポストメッセージ信号で送信するページナンバーをどのように付与するかについてはいくつかの変形例が考えられる。以下では、主としてページナンバーおよび面情報の送信をどのように行なうかにつき、異なる実施形態を示す。
【０１２１】
＜第２実施形態＞
本実施形態では、両面／片面混在プロトコルにおいて片面プロトコルから両面プロトコルに復帰した場合、ポストメッセージ信号で送信するページナンバーを（１に）リセットする。
【０１２２】
この場合、図１８に示すように第１の実施形態の制御を変更すればよい。図１８は図８〜図１７の制御で本実施形態に必要な変更部分のみを示している。
【０１２３】
図１８において、ステップＳ１９０は、ステップＳ１５８（図１５）を、また、ステップＳ１９４はステップＳ１６２（図１５）に相当する。つまり、ステップＳ１９２は、図１５のステップＳ１６０に置換すべきステップである。
【０１２４】
そして、このステップＳ１９２ではページナンバーを１にリセットしている。
【０１２５】
たとえば、本実施形態の両面／片面混在プロトコルで送信する３枚の原稿のうち２枚目が片面（裏面が全白）である場合は、ポストメッセージ信号で送信されるページナンバーおよび面情報（面フラグ）は
ページナンバー    面情報（面フラグ）
１枚目表      １                ０
１枚目裏      ２                １
２枚目表      （ポストメッセージで送信せず）
３枚目表      １                ０
３枚目裏      ２                １
のようになる。２枚目表を送信する時は、ページナンバーは１にリセットされる（上記ステップＳ１９２）が、２枚目表の片面プロトコルによる送信ではポストメッセージ信号によりページナンバーおよび面情報（面フラグ）は送信せず、この値は後続の３枚目の両面送信の時からインクリメントしつつ用いられる。
【０１２６】
このような構成によれば、１通信中で従来の両面プロトコルおよび片面プロトコルを繰り返すのと全く同じ形態となるため、他メーカーの装置と通信できる可能性が非常に大きくなり、通信の互換性を大きく向上することができる。
【０１２７】
＜第３実施形態＞
上記の第１および第２実施形態では、両面／片面混在プロトコル中の片面プロトコルでは、ポストメッセージ信号（ＰＰＳ−Ｑ、またはＱ信号）によりページナンバーおよび面情報を送信しないようにしているが、第３〜第５実施形態では、両面／片面混在プロトコル中の片面プロトコルでページナンバーおよび面情報を送信する。
【０１２８】
両面／片面混在プロトコル中の片面プロトコルで送信するページナンバーは直前の両面プロトコルから連続させるのが望ましいのは論をまたないが、やはりその後の両面プロトコルでどのようにページナンバーを付与するかについてはいくつかの構成が考えられる。
【０１２９】
本第３実施形態では、片面プロトコルを用いる時は、あたかもその位置で両面が送信されたかのようにページナンバーをインクリメントし、表面（両面／片面とも）のページナンバーに奇数がつくようにする。
【０１３０】
この場合、図１９に示すように第１の実施形態の制御を変更すればよい。図１９は図８〜図１７の制御で本実施形態に必要な変更部分のみを示している。
【０１３１】
図１９において、ステップＳ２００はステップＳ１６２（図１５）に、ステップＳ２０２はステップＳ１７６（図１６）に、また、ステップＳ２０６はステップＳ１６６（図１５）に相当する。つまり、ステップＳ２０４はステップＳ１６４（図１５）を置換すべきものである。
【０１３２】
このステップＳ２０４では、ページカウンタが示す面の画情報を送信するとともに、ＰＰＳ−Ｑ、またはＱ信号（ポストメッセージ信号）によりページナンバーおよび面情報（この場合表面を示す０になっている）を送信する。
【０１３３】
また、ステップＳ２０８はステップＳ１７０（図１６）に、ステップＳ２１２はステップＳ１７２（図１６）に相当する。つまり、ステップＳ２１０は、これらステップＳ１７０とステップＳ１７２の間に挿入すべきものである。
【０１３４】
ステップＳ２１０では、ページナンバーの値を＋２だけ増加させる。
【０１３５】
以上の変更により、片面プロトコルに切り換わる時、まず、ステップＳ１６０でインクリメントされたページナンバーがステップＳ２０４で送信され、その後、片面プロトコルが連続する、あるいは両面プロトコルに復帰する時は、ステップＳ２１０で＋２されたページナンバーが用いられる。結局、片面プロトコルで表面のみ送信する時は＋２づつページナンバーが歩進し、表面（両面／片面とも）のページナンバーに奇数がつくようになる。
【０１３６】
たとえば、本実施形態の両面／片面混在プロトコルで送信する４枚の原稿のうち２および３枚目が片面（裏面が全白）である場合は、ポストメッセージ信号で送信されるページナンバーおよび面情報（面フラグ）は
ページナンバー    面情報（面フラグ）
１枚目表      １                ０
１枚目裏      ２                １
２枚目表      ３                ０
３枚目表      ５                ０
４枚目表      ７                ０
４枚目裏      ８                １
のように変化することになる。
【０１３７】
このように、表面のページナンバーで必ず奇数を使うようにすると、万一、表面に偶数のページナンバーが付与されるような事態を想定していない受信機であってもエラーを生じるような危険性を低減することができる。
【０１３８】
＜第４実施形態＞
本実施形態は、上記の第３実施形態と類似であるが、両面／片面混在プロトコル中の片面プロトコルで表面のみ送信する時も＋１づつページナンバーをインクリメントするものである。本実施形態では両面／片面プロトコルが切り換わっても、ページナンバーは連続的に変化する。
【０１３９】
本実施形態の場合、図２０に示すように第１の実施形態の制御を変更すればよい。図２０は図８〜図１７の制御で本実施形態に必要な変更部分のみを示している。
【０１４０】
図２０において、ステップＳ２２０はステップＳ１６２（図１５）に、ステップＳ２２２はステップＳ１７６（図１６）に、また、ステップＳ２２６はステップＳ１６６（図１５）に相当する。つまり、ステップＳ２２４はステップＳ１６４（図１５）を置換すべきものである。
【０１４１】
このステップＳ２２４では、ページカウンタが示す面の画情報を送信し、ＰＰＳ−Ｑ、またはＱ信号（ポストメッセージ信号）によりページナンバーおよび面情報（この場合表面を示す０になっている）を送信する。
【０１４２】
また、ステップＳ２２８はステップＳ１７０（図１６）に、ステップＳ２３２はステップＳ１７２（図１６）に相当する。つまり、ステップＳ２３０は、これらステップＳ１７０とステップＳ１７２の間に挿入すべきものである。
【０１４３】
ステップＳ２３０では、（ステップＳ２１０と異なり）ページナンバーの値を＋１だけ増加させる。
【０１４４】
以上の変更により、片面プロトコルに切り換わる時、まず、ステップＳ１６０でインクリメントされたページナンバーがステップＳ２２４で送信され、その後、片面プロトコルが連続する、あるいは両面プロトコルに復帰する時は、ステップＳ２３０で＋１されたページナンバーが用いられる。結局、片面プロトコルで表面のみ送信する時は＋１づつページナンバーが歩進し、表面（両面／片面とも）のページナンバーに奇数がつくようになる。
【０１４５】
たとえば、本実施形態の両面／片面混在プロトコルで送信する４枚の原稿のうち２および３枚目が片面（裏面が全白）である場合は、ポストメッセージ信号で送信されるページナンバーおよび面情報（面フラグ）は
ページナンバー    面情報（面フラグ）
１枚目表      １                ０
１枚目裏      ２                １
２枚目表      ３                ０
３枚目表      ４                ０
４枚目表      ５                ０
４枚目裏      ６                １
のように変化することになる。
【０１４６】
このように、ページナンバーが有効画像を含む面で連続して歩進するようポストメッセージ信号により送信することによって、たとえば受信側でヘッダ情報などを生成して印刷したり、有効画像のページ数を管理情報として記録する時に、ポストメッセージ信号により受信したページナンバーの利用が容易になる利点がある。
【０１４７】
＜第５実施形態＞
本実施形態では、旧来の片面プロトコルおよび両面プロトコルと互換性のある手順を使い分けるのではなく、ＤＩＳ／ＤＴＣ／ＤＣＳのＸ、Ｘ＋１ビットについてはＸ＝１、Ｘ＋１＝０として旧来の片面プロトコルと同じビットパターンを１通信中、固定して用い、上述の第１〜第４実施形態のように片面プロトコルと両面プロトコルを行き来することなく、したがって、両面伝送と片面伝送を切り換える時に中間手順を用いない。
【０１４８】
そして、本実施形態は上記第４実施形態と同様にページナンバーを生成して送信するが、さらに、ポストメッセージ信号では、図３に示したＰａｇｅ  Ｉｎｆｏｒｍａｔｉｏｎのｂｉｔ１を用いて、表面に対応する裏面が存在する（０）か、存在しない（１：裏面の送信をスキップ）かを用いる。
【０１４９】
つまり、本実施形態は、第１〜第４実施形態のように旧来の片面プロトコルおよび両面プロトコルと互換性のある手順を使い分けることによる互換性を維持できる利点は得られないが、そのかわり、ポストメッセージ信号のＰａｇｅ  Ｉｎｆｏｒｍａｔｉｏｎのｂｉｔ１を用いて裏面の画情報の有無を受信機に伝達することにより、第１〜第４実施形態で必要であった両面伝送と片面伝送を切り換える時に中間手順を除去し、通信速度をより向上できる利点がある。
【０１５０】
なお、本実施形態のＤＩＳ／ＤＴＣ／ＤＣＳのビットＹは、他の第１〜第４実施形態と多少意味あいが異なり、本実施形態では上記のような特別な両面／片面混在モードを用いることを送受信間で宣言するために用いられる。
【０１５１】
本実施形態の場合は、図２１および図２２に示すように第１の実施形態の制御を変更すればよい。図２および図２２は図８〜図１７の制御で本実施形態に必要な変更部分のみを示している。
【０１５２】
図２１において、ステップＳ２４０はステップＳ１３８（図１４）のＹＥＳの分岐に、ステップＳ２５０はステップＳ１４４（図１５）にそれぞれ相当する。
【０１５３】
また、ステップＳ２４４はステップＳ１５２（図１５）に、ステップＳ２４６はステップＳ１７２（図１６）のＹＥＳの分岐にそれぞれ相当する。
【０１５４】
つまり、ステップＳ２４２はステップＳ１４０（図１４）を、また、ステップＳ２４８はステップＳ１４２（図１４）を置換するとともに、図１６のステップＳ１７２（図１６）のＹＥＳの分岐から直接ステップＳ２４８に移行しているため、図１６のステップＳ１７４は削除することになる。
【０１５５】
ステップＳ２４２では、残りの前手順を実行し、ＤＣＳ信号のＦＩＦのＸビット＝０、Ｘ＋１ビット＝０、Ｙビット＝１とする。すなわち、Ｘ、Ｘ＋１ビットについてはＸ＝１、Ｘ＋１＝０として旧来の片面プロトコルと同じビットパターンを用いるとともに、Ｙビットにより本実施形態の両面／片面混在モードを用いることを宣言する。
【０１５６】
ステップＳ２４８では、ページカウンタが示す面の画情報を送信する。このステップＳ２４８で送信される画像は両面ともに有効情報があるが、ＰＰＳ−Ｑ、またはＱ信号（ポストメッセージ信号）により、ページナンバーおよび面情報（その時の面フラグの状態により表：０または裏：１）Ｐａｇｅ  Ｉｎｆｏｒｍａｔｉｏｎのｂｉｔ１は０とし、対応する裏面が存在することを受信機に示す。
【０１５７】
一方、ステップＳ２５２はステップＳ１６０（図１５）に、ステップＳ２５４はステップＳ１７２（図１６）のＮＯの分岐に、ステップＳ２５８はステップＳ１６６（図１６）に相当する。
【０１５８】
つまり、ステップＳ２５６は、ステップＳ１６４（図１５）を置換するとともに、ステップＳ１６０（図１５）から直接ステップＳ２５６に移行するようになっているので、図１５のステップＳ１６２は削除することになる。
【０１５９】
ステップＳ２５６では、片面情報の送信を行なうが、ここではページカウンタの示す面の画情報（片面情報）を送信する。また、ＰＰＳ−Ｑ、またはＱ信号（ポストメッセージ信号）では、ページナンバー、面情報（表面を示す０）を送信するとともに、および、裏面情報の有無を示すｂｉｔ１＝１（裏面情報無しを意味する）として送信する。
【０１６０】
ステップＳ２６０はステップＳ１７０（図１６）に、ステップＳ２６４はステップＳ１７２（図１６）に相当する。つまり、ステップＳ２６２ではこれらステップＳ１７０とステップＳ１７２の間に挿入すべきものである。
【０１６１】
このステップＳ２６２では、ページナンバーの値を１だけインクリメントする。この処理は、第４実施形態のステップＳ２３０と全く同じである。
【０１６２】
ステップＳ２６６はステップＳ１３８（図１４）のＮＯの分岐に相当し、ステップＳ２６８はステップＳ１７６（図１６）を置換するものである。
【０１６３】
このステップＳ２６８では、残りのファクシミリ前手順を実行し、ＤＣＳ信号のＦＩＦのＸビット＝０、Ｘ＋１ビット＝０、Ｙビット＝１として送信する。この処理は、通信開始直後に片面伝送に入る場合に行なうもので、ステップＳ２６８の後、直接上記のステップＳ２５６に移行する。
【０１６４】
なお、本実施形態の両面／片面混在モードで送信する４枚の原稿のうち２および３枚目が片面（裏面が全白）である場合は、ポストメッセージ信号で送信されるページナンバーおよび面情報（面フラグ）は、第４実施形態と同じであり、
ページナンバー    面情報（面フラグ）
１枚目表      １                ０
１枚目裏      ２                １
２枚目表      ３                ０
３枚目表      ４                ０
４枚目表      ５                ０
４枚目裏      ６                １
のように変化することになる。
【０１６５】
受信側では、送信機のＤＴＣ／ＤＣＳのビットＹを調べ、Ｙ＝１となっていた場合は、本実施形態の両面／片面混在モードを用いるものと判断し、画像メッセージに続くポストメッセージのＰａｇｅ  Ｉｎｆｏｒｍａｔｉｏｎのｂｉｔ１を監視して、それが裏面なしを示す「１」となっていた場合のみ受信した画像を記録回路１６で片面記録し、Ｐａｇｅ  Ｉｎｆｏｒｍａｔｉｏｎのｂｉｔ１が０となっていた場合は両面記録を行なうようにすればよい。
【０１６６】
以上の処理を行なうことにより、本実施形態の両面／片面混在情報送信モードによれば、両面伝送と片面伝送を切り換える時に中間手順を用いることなく、ポストメッセージのＰａｇｅ  Ｉｎｆｏｒｍａｔｉｏｎのｂｉｔ１を用いて両面および片面の混在情報を送信することができる。一般に中間手順では低速のモデム信号を用いなければならないケースが多いため、中間手順を省くことにより大きな高速化の効果を期待できる。
【０１６７】
また、第４実施形態同様に、ページナンバーが有効画像を含む面で連続して歩進するようポストメッセージ信号により送信することによって、たとえば受信側でヘッダ情報などを生成して印刷したり、有効画像のページ数を管理情報として記録する時に、ポストメッセージ信号により受信したページナンバーの利用が容易になる利点がある。
【０１６８】
なお、以上の各実施形態でポストメッセージにより受信機に送信されるページナンバーは、受信側において記録紙先頭にページ番号として（いわゆるヘッダ情報の一部としての）記録したり、通信管理情報として記憶したりすることで利用できる。
【０１６９】
以上では、ファクシミリ専用機の構成を示したが、本発明はファクシミリ専用機のみならず、他の形態のファクシミリ装置に実施できるのはいうまでもない。たとえば、本発明は、パーソナルコンピュータのような汎用の端末にＦＡＸモデムなどを外付け／内蔵し、ソフトウェア制御によりファクシミリ通信を行なう構成においても実施することができる。その場合、本発明の制御プログラムは、前述のＲＯＭ２４のみならず、ハードディスク、フロッピーディスク、光ディスク、光磁気ディスクやメモリカードなどのあらゆるコンピュータ読み取り可能な記憶媒体に格納して供給することができる。また、本発明が画像形成装置にＦＡＸ通信インターフェースやネットワークインターフェースを装着したいわゆるデジタル複合機においても実施できるのはもちろんである。
【０１７０】
【発明の効果】
以上の説明から明らかなように、本発明によれば、両面画情報を送信機および受信機間で送信する両面通信を行なうファクシミリ装置、その制御方法、およびその制御プログラムにおいて、両面画像を送信する場合は両面プロトコルを、また、片面画像を送信する場合は片面プロトコルを用いるよう、１通信中に両面プロトコルおよび片面プロトコルを切り換え、両面プロトコルにより両面画像を送信する場合のみ、画情報に関するページ情報を送信するポストメッセージ信号により、画情報のページナンバーを送信機から受信機に送信するとともに、前記ポストメッセージ信号によりページナンバーを送信機から受信機に送信する場合、片面プロトコルにより片面画像を送受信した後、両面プロトコルにより両面画像の送受信に復帰する際、前記ポストメッセージ信号により送信されるページナンバーをリセットする制御を行なうことにより、片面および両面の混在画情報を送受信する構成を採用しているので、ソフトウェアに大規模な変更を行なう必要がなく、極めて容易に実施でき、また、１通信中に中間手順を行ない、旧来と同等の両面プロトコルおよび片面プロトコルを１通信中に切り換えて用いるようにしているので、他メーカーの装置など、本発明のＤＩＳ／ＤＴＣ／ＤＣＳのＹビットをサポートしていない装置が相手機であっても通信不能となる可能性を低減でき、高い通信の互換性を得ることができる。
【図面の簡単な説明】
【図１】本発明を採用したファクシミリ装置のハードウェア構成を示したブロック図である。
【図２】本発明の両面伝送で用いられるＤＩＳ／ＤＴＣおよびＤＣＳ信号のＦＩＦを示した表図である。
【図３】本発明の両面伝送で用いられるポストメッセージ信号のフォーマットを示した説明図である。
【図４】非ＥＣＭ通信モードにおける交互モードでの両面通信の様子を示した説明図である。
【図５】ＥＣＭ通信モードにおける交互モードでの両面通信の様子を示した説明図である。
【図６】非ＥＣＭ通信モードにおける連続モードでの両面通信の様子を示した説明図である。
【図７】ＥＣＭ通信モードにおける連続モードでの両面通信の様子を示した説明図である。
【図８】図１のＣＰＵ２２の通信制御を示したフローチャート図である。
【図９】図１のＣＰＵ２２による通信制御を示したフローチャート図である。
【図１０】図１のＣＰＵ２２による通信制御を示したフローチャート図である。
【図１１】図１のＣＰＵ２２の通信制御を示したフローチャート図である。
【図１２】図１のＣＰＵ２２による通信制御を示したフローチャート図である。
【図１３】図１のＣＰＵ２２による通信制御を示したフローチャート図である。
【図１４】図１のＣＰＵ２２の通信制御を示したフローチャート図である。
【図１５】図１のＣＰＵ２２の通信制御を示したフローチャート図である。
【図１６】図１のＣＰＵ２２の通信制御を示したフローチャート図である。
【図１７】図１のＣＰＵ２２の通信制御を示したフローチャート図である。
【図１８】図１のＣＰＵ２２の異なる通信制御を示したフローチャート図である。
【図１９】図１のＣＰＵ２２の異なる通信制御を示したフローチャート図である。
【図２０】図１のＣＰＵ２２の異なる通信制御を示したフローチャート図である。
【図２１】図１のＣＰＵ２２の異なる通信制御を示したフローチャート図である。
【図２２】図１のＣＰＵ２２の異なる通信制御を示したフローチャート図である。
【符号の説明】
２  ＮＣＵ
４  電話機
６  ハイブリッド回路
８  変復調器
１０  発呼回路
１２  加算回路
１４  読取回路
１６  記録回路
１８  メモリ回路
２０  操作部
２２  ＣＰＵ
２４  ＲＯＭ
２６  バス
【図１】
0003619163.tif 000002
【図２】
0003619163.tif 000003
【図３】
0003619163.tif 000004
【図４】
0003619163.tif 000005
【図５】
0003619163.tif 000006
【図６】
0003619163.tif 000007
【図７】
0003619163.tif 000008
【図８】
0003619163.tif 000009
【図９】
0003619163.tif 000010
【図１０】
0003619163.tif 000011
【図１１】
0003619163.tif 000012
【図１２】
0003619163.tif 000013
【図１３】
0003619163.tif 000014
【図１４】
0003619163.tif 000015
【図１５】
0003619163.tif 000016
【図１６】
0003619163.tif 000017
【図１７】
0003619163.tif 000018
【図１８】
0003619163.tif 000019
【図１９】
0003619163.tif 000020
【図２０】
0003619163.tif 000021
【図２１】
0003619163.tif 000022
【図２２】
0003619163.tif 000023